(57)【要約】本発明は厚紙の単一層からなる柔軟なシート（１）を含む折りたたみ可能な箱に関する。本発明の箱は：硬い側面（２）の全表面積と同じ全表面積を持つ隣接部分（１１）；対向する隣接部分（１１）に固定され前記シート（１）が管状形状を構成する横フラップ（１２）；及びカバー（３）を箱の残りに永久態様で固定するのに使用される二つのフラップ（１３）、すなわち上部フラップと下部フラップ；を含む。上述のフラップ（１３）に対向する箱の側面は穴（２１）を備えており、それらの穴はピン（４）を取り付けるのに使用され、それらのピンの端部はカバー（３）の内方部（３２）の穴（３３）中に収容され、前記ピンが箱が閉鎖されるときカバー（３）を所定位置に保持する。
2006521249.tif 000002
【特許請求の範囲】
【請求項１】
折りたたみ可能な箱であって、硬い側面（２）、その硬い側面（２）を連結し、かつ中空角柱形状並びにそれらの重複体を形成する前記側面（２）の配置を可能とするヒンジ結合手段を形成する少なくとも一つの柔軟なシート（１）、及び側面（２）が角柱形状を構成するとき箱の両基部を閉じることを意図したカバー（３）を含む、平坦な形状をとることができる形式のものであり、カバー（３）のそれぞれ一つが側面（２）により構成された角柱形状の内部穴の寸法よりわずかに大きな寸法の外方部（３１）と閉鎖位置にあるとき前記角柱形状の内側に導入されることを意図した内方部（３２）とにより構成されているものにおいて、柔軟なシート（１）が全体的に厚紙の単一層により形成され、折りたたみ線により次のもの：全表面が硬い側面（２）の表面と一致する隣接部分（１１）；隣接端部分（１１）の一つから延びかつ他の隣接端部分（１１）に固定されて、前記シート（１）が管状形状を構成する横フラップ（１２）；及び箱の残りにカバー（３）を永久固定するための手段を形成するように隣接部分（１１）の二つから延びる上方部と下方部の二つのフラップ（１３）、が構成されており、カバー（３）を固定するためにフラップ（１３）を持つ側面に対向する箱の側面がピン（４）の組立てのための穴（２１）を備えており、ピンの端部はその目的のために対応するカバーの内方部（３２）に作られた穴（３３）の中に収容され、前記ピン（４）が箱の閉鎖位置にそれぞれのカバー（３）を保持することを特徴とする箱。
【請求項２】
箱の上部カバー（３）に対応するピン（４）がその外端部に箱の開口時にピン（４）の保持と除去を容易とすることを意図した取っ手とラベルまたは装飾的要素を固定するための要素とを同時に形成するリング（４１）を備えていることを特徴とする請求項１に記載の箱。
【請求項３】
柔軟なシート（１）の上部及び下部フラップ（１３）が外方部（３１）の幅と実質的に等しい幅と内方部（３２）より小さな長さとを持つことを特徴とする請求項１または２に記載の箱。
【請求項４】
フラップ（１３）が対応するカバー（３）の外方部（３１）と内方部（３２）の間に配置され、かつこれらの二つの部に固定されていることを特徴とする請求項１から３のいずれか一つに記載の箱。
【請求項５】
カバー（３）のそれぞれ一つの部（３１，３２）がそれらの重なり合った表面部分により直接一緒に固定され、それらの重なり合った表面部分が前記部（３１，３２）間に設けられた柔軟なシート（１）のフラップ（１３）により占められていないことを特徴とする請求項１から４のいずれか一つに記載の箱。
【発明の詳細な説明】
【技術分野】
【０００１】
本発明は折りたたみ可能な箱であって、硬い側面、その硬い側面を連結し、かつ中空多角形角柱形状並びにそれらの重複体を形成する前記側面の配置を可能とするヒンジ結合手段を形成する少なくとも一つの柔軟なシート、及び側面が角柱形状を構成するとき箱の両基部を閉じることを意図したカバーを含む、平坦な形状をとることができる形式のものであり、カバーのそれぞれ一つが角柱形状の内部中空部よりわずかに大きな寸法を持つ外方部と閉鎖位置にあるとき前記角柱形状の内側に導入されることを意図した内方部とから構成されているものに関する。
【背景技術】
【０００２】
現在、硬い側面を備えた種々の折りたたみ可能な箱が市場に存在し、それらは中空角柱形状またはそれらの重複体を形成するために前記硬い側面の相対的回転を可能とする一つまたはそれ以上の柔軟なシートにより一緒に連結されており、この箱は箱が使用されないとき箱により占められる容積を減らすことを可能とする平坦な形状をとることができる。
【０００３】
スペイン実用新案登録出願第２４８２３４号は、半硬質材料のサンドイッチ形式のパネルにより構成され、パネルの対向端に固定されかつヒンジ状に作用する柔軟なシートにより一緒に連結された形式の改善された容器を開示する。
【０００４】
前記実用新案登録出願第２４８２３４号においては、柔軟なシートの両端は箱の側面を構成するサンドイッチ形式のパネルの二つの層間に収容されかつ固定されており、従って前記シートはいったん箱が形成されると見える位置に残る。
【０００５】
連続パネル間に配置された柔軟なシートの長さは重要な欠点を包含する。なぜならいったん容器が組立てられると、その側面を自由とさせ、正規の角柱体及び安定した形状の構成を著しく困難とするからである。
【０００６】
前記実用新案登録出願第２４８２３４号はまた、容器が独立したカバーを備えていることを示唆しており、カバーは容器本体の基部の閉鎖を実行する目的のために容器本体に引き続いて固定されるであろう。
【０００７】
取りはずし可能な容器カバーの使用は追加の欠点を包含する。なぜなら前記カバーは容器の貯蔵または輸送時に失われ、従って前記容器の組立てが実行されるとき、その閉鎖を実行するのに必要な要素が入手できないからである。
【０００８】
スペイン実用新案登録出願第９７００２４０号は折りたたみ可能な箱を開示し、それは前述の実用新案登録出願のように、木製の側面から構成され、その側面は網により補強された紙シートにより側面の回転または相対的平坦化を可能とするように一緒に連結され、従って箱は使用時には角柱形状またはその輸送のために必要な空間を減らす平坦形状をとることができる。
【０００９】
前述の実用新案登録出願と同様に、実用新案登録出願第９７００２４０号の折りたたみ可能な箱は網で補強された紙シートに木製側面を固定することを意図しており、二つの木製側面間にヒンジ状に作用する空間を残す。
【００１０】
前述の場合と同様に、硬い木製側面間に残る補強された紙シートの部分は箱がいったん組立てられると箱の安定性を著しく減らす。なぜならそれは前記硬い側面に一定の自由度を許容するからである。
【００１１】
同様に、硬い側面の連結のための網により補強された紙シートの使用は箱の製造費用の不必要な増加を意味する。
【００１２】
前記実用新案登録出願第９７００２４０号において、箱本体自身から独立したカバーの使用も意図しており、それは前述の場合のように組立てられていない状態の箱の輸送または貯蔵時のその紛失の危険を意味する。
【００１３】
他方で、前記の記録された背景は、必要なだけの多数回の箱の再使用を可能とする目的のための閉じた位置のカバーの保持を実行しかつ引き続いてのその開口を可能とする特別の手段の使用を意図していない。
【発明の開示】
【発明が解決しようとする課題】
【００１４】
前述の形式の、言い換えれば柔軟なシートにより一緒に連結された硬い側面と閉鎖カバーとを含むものである本発明の折りたたみ可能な箱は、製造費用を減らすことに焦点を合わせた、特に柔軟なシートに関して、側面を形成する硬いパネル間の不必要な余裕を排除し、カバーを箱の残りに永久的に連結して保持し、その紛失を防ぎかつ前記箱が全体的に再使用可能であるようにその閉鎖位置またはその解放位置でカバーの保持を繰り返して実行することを可能とする閉鎖手段を備えることに関して焦点を合わせた構造的特徴を持つ。
【課題を解決するための手段】
【００１５】
本発明によれば、柔軟なシートは全体的に厚紙の単一層により、言い換えれば補強網なしで形成され、それは前記シートの費用を著しく減らすことを可能とする。前記柔軟なシートには、折りたたみ線により：全表面が硬い側面の表面と一致する隣接部分；隣接端部分の一つから延びかつ他の隣接端部分に固定されて、前記シートが多角形管状形状を構成する横フラップ；及び箱の残りにカバーを永久固定するための手段を形成するように隣接部分の二つから延びる上方部と下方部の二つのフラップ、が構成されている。
【００１６】
上述によれば、柔軟なシート上に構成された隣接部分の表面は箱の硬い側面の表面と一致し、従って前記側面の対向側はそれらが同一平面に配置されるとき一緒に接触させられ、それにより箱組立て状態ではそれらは中間の柔軟なシート部分により間隔をあけたまま残らず、それは組立て位置でのより良好な安定性を箱に与える。
【００１７】
他方で、この特徴は硬い側面を柔軟なシートへ固定する作業を著しく容易とする。なぜなら前記固定は平坦で実行され、連続した硬い側面の対面側を一緒に連結することはこれらが整合されないのを防ぐからである。不整合は柔軟なシートの一部分を連続した硬い側面間に自由に残すような箱で実際に起こる。
【００１８】
柔軟なシートが管状形状を構成するように柔軟なシート自身を固定するための柔軟なシート上の横フラップの構成は、箱製造作業を著しく簡単にする。
【００１９】
更に、カバーを保持するための、柔軟なシート上の上方と下方の二つのフラップの構成は、これらが箱の残りに永久的に連結されたまま残ることを確実とし、輸送時の紛失の危険及びこれが包含する続く欠点を排除する。
【００２０】
本発明によれば、カバーを固定するためにフラップの支持部に対向する箱の側面はピンの組立てのための穴を持ち、ピンの端部はその目的のために対応するカバーの内方部に作られた穴の中に収容され、前記ピンは箱の閉鎖位置にそれぞれのカバーを保持する役目を実行する。
【００２１】
前記穴とピンの存在はどのような種類の損傷も被ることなく必要な多数回にわたって箱を開閉させることを可能とし、それは箱に再使用可能な特性を与える。
【００２２】
本発明によれば、箱の上部カバーに対応するピンの外方端は箱を開くための前記ピンの保持と除去を容易とすることを意図した取っ手とラベルまたは他の装飾的要素を固定するための要素とを同時に形成するリングを備えている。
【００２３】
同様に、柔軟なシートの上部及び下部フラップは対応するカバーの外方部の幅と実質的に等しい幅とその内方部の長さより小さな長さとを持つことを前提としている。
【００２４】
前記上部及び下部フラップは対応するカバーの内方部と外方部の間に配置され、それらに固定される。
【００２５】
また、カバーのそれぞれ一つの内方部及び外方部はそれらの重なり合った表面部分により直接一緒に固定され、それらの重なり合った表面部分はそれらの間に配置された柔軟なシートのフラップにより占められておらず、この方式ではカバーの内方部と外方部は一緒にかつ対応する柔軟なシートのフラップに固く固定されたまま残ることが保証される。
【００２６】
図面の簡略説明
なされる説明を補足するため及び本発明の特徴をより良く理解するのを助ける目的のために、本明細書に一連の図面が添付されており、それらは例示的かつ非限定的性質を持って以下を示す。
−  図１及び２は開かれたカバーと除去されたカバーの保持ピンとを持つ本発明の折りたたみ可能な箱の前方及び後方透視図をそれぞれ示す。
−  図３は中間製造段階の箱の透視図を示し、そこでは柔軟なシートの平坦な展開を見ることができ、固い側面とカバーの外方部が柔軟なシートの一方側に固定されており、一方でフラップの対向側に固定されることを意図したカバーの内方部が組立てられないで示されている。
−  図４はいったん組立てられて折りたたまれた箱の側面図を示す。
【発明を実施するための最良の形態】
【００２７】
添付図面に見ることができるように、本発明の箱は柔軟な厚紙シート（１）、好ましくは木製の硬い側面（２）、箱がいったん組立てられたとき閉鎖するためのカバー（３）、及びカバー（３）を閉鎖位置に保持するためのピン（４）から構成される。
【００２８】
柔軟なシート（１）上に、折りたたみ線により以下のものが構成される：表面が硬い側面（２）の表面と一致しかつ前記硬い側面（２）の内側に固定されることを意図している隣接部分（１１）、隣接端部分（１１）の一つから出発しかつ前記柔軟なシートが管状形状をとるように対向端の隣接部分（１１）に固定されることを意図している横フラップ（１２）、及び隣接部分（１１）の二つ、即ち上部及び下部から延び、カバー（３）の保持手段を形成する二つのフラップ（１３）。
【００２９】
カバー（３）のそれぞれ一つはフラップ（１３）の対向側に固定された外方部（３１）と内方部（３２）から構成され、従って前記カバー（３）は箱の上方及び下方端に配置される。
【００３０】
図３に見ることができるように、フラップ（１３）はカバーの外方部（３１）の幅に実質的に等しい幅と内方部（３２）の長さより小さな長さを持ち、従って前記内方部（３２）の一部分は対応するカバーの外方部（３１）上に直接固定される。
【００３１】
図１，２及び３に見ることができるように、フラップ（１３）の支持部に対向する箱の側面はピン（４）の組立てのための穴（２１）を備えており、このピンは箱の閉鎖位置に前記カバー（３）を保持する目的のためにカバー（３）の内方部（３２）上に構成された穴（３３）内に導入されることを意図している。
【００３２】
同様に、ピン（４）の一つ、特に箱の上部カバーに対応するものは前記上部カバー（３）を開く前に箱からピンを解放するためにピンを保持して引っ張るのを容易とすることを意図したリング（４１）をその端部上に持つ。
【００３３】
同様に、このリング（４１）はラベルまたは他の装飾的要素のその上への固定も可能とする。
【００３４】
本発明の本質並びに好適実施態様を十分に述べたが、以下に請求された本発明の本質的特徴の変更を意味しないかぎり、材料、形状、寸法及び記述された要素の配置は変更されることができることが述べられる。
【図面の簡単な説明】
【００３５】
【図１】開かれたカバーと除去されたカバーの保持ピンとを持つ本発明の折りたたみ可能な箱の前方透視図を示す。
【図２】開かれたカバーと除去されたカバーの保持ピンとを持つ本発明の折りたたみ可能な箱の後方透視図を示す。
【図３】中間製造段階の箱の透視図を示す。
【図４】いったん組立てられて折りたたまれた箱の側面図を示す。
【図１】
2006521249.tif 000003
【図２】
2006521249.tif 000004
【図３】
2006521249.tif 000005
【図４】
2006521249.tif 000006
【国際調査報告】
2006521249.tif 000007
2006521249.tif 000008
2006521249.tif 000009
2006521249.tif 000010